(57)【特許請求の範囲】
【請求項１】
一方に開口する多数の製氷小室を有する製氷室(12)および製氷室(12)における前記製氷小室の開口側に対向して傾動可能に枢支した水皿(13)を備える製氷機構(15)と、保持部材(16)の外側に配設されて前記水皿(13)に連繋された作動機構を作動する駆動手段(AM)とからなり、前記駆動手段(AM)により前記作動機構を作動することで、前記水皿(13)を前記製氷小室の閉成位置および開放位置の間で傾動させるようにした自動製氷機において、
前記駆動手段(AM)に、該駆動手段(AM)を下側から覆うカバー部品(48,53,57,60)を配設すると共に、
前記保持部材(16)の内側に連通する通路が前記カバー部品(48,53,57,60)に形成され、前記駆動手段(AM)から導出するリード線(32,33)を該通路に収容して前記保持部材(16)の内側に引き込むよう構成した
ことを特徴とする自動製氷機。
【請求項２】
前記自動製氷機を構成する筐体(10)に架設された前記保持部材(16)は、上方に開放するトレー状に形成されると共に、該保持部材(16)には内外を連通する凹部(16d)が設けられ、
前記カバー部品(48,53,57,60)には、前記凹部(16d)および前記通路に連通する樋状の案内部(52)が形成される請求項１記載の自動製氷機。
【請求項３】
前記保持部材(16)の底部には、排水孔(55)が設けられ、
前記カバー部品(53,57,60)における前記案内部(52)の開放端部に、前記排水孔(55)の下方位置まで延出して該排水孔(55)から排出される水を受ける受け部(54)を設けた請求項２に記載の自動製氷機。
【請求項４】
前記製氷機構(15)の下方には、前記水皿(13)に一体的に形成された製氷水タンク(14)から排出された製氷水を受け入れるドレンパン(28)が配設され、
前記カバー部品(48,53,57,60)は、上面開放した箱状に形成されると共に、前記ドレンパン(28)の内側上方に臨む位置に、該カバー部品(48,53,57,60)に受容した液体を排出する排出部(46,61)を設けた請求項１〜３の何れか一項に記載の自動製氷機。
【請求項５】
前記カバー部品(57,60)の前記通路内に、該通路の延在方向に沿って延在する仕切片(58)を設けて該通路を複数に仕切るようにした請求項１〜４の何れか一項に記載の自動製氷機。
【請求項６】
前記カバー部品(57,60)および前記仕切片(58)は、絶縁材料から形成した請求項５記載の自動製氷機。
【発明の詳細な説明】
【技術分野】
【０００１】
本発明は、製氷室に画成された製氷小室に製氷水を供給する水皿を、駆動手段により開閉するよう構成した自動製氷機に関するものである。
【背景技術】
【０００２】
下向きに開口する多数の製氷小室に製氷水を下方から噴射供給して、氷塊を連続的に製造する噴射式の自動製氷機が、喫茶店やレストラン等の施設その他の厨房において好適に使用されている(例えば、特許文献１参照)。
【０００３】
図２０および図２１に示す自動製氷機は、全体が略箱形の筐体１０の内部に、所要形状の貯氷室１１が画成されると共に、該筐体１０の内部上方には、製氷室１２,水皿１３および製氷水タンク１４等からなる製氷機構１５が配設されている。具体的には、前記筐体１０の頂部に水平に配置した取付枠１６の下方に、下向きに開口する多数の製氷小室(図示せず)を画成した製氷室１２が固定支持され、この製氷室１２の上面に、図示しない冷凍系に連通する蒸発器１７が密着的に蛇行配置され、製氷運転時に冷媒を循環させて前記製氷小室を強制冷却するようになっている。また前記製氷室１２の直下には、製氷水を貯留する製氷水タンク１４を下方に一体的に備えた水皿１３が、枢支軸(図示せず)により片持式に傾動可能に枢支され、モータを駆動源とするアクチュエータＡＭ、カムやコイルばね等からなる水皿傾動機構１８により付勢されて、枢支軸を中心として傾動して前記製氷小室(製氷室１２)を下方から閉成する閉成位置と、下方に傾動して製氷小室(製氷室１２)を開放する開放位置との間を傾動するよう構成される。更に、前記製氷水タンク１４の底部外方には、ポンプモータＰＭが取付けられ、このポンプモータＰＭにより吸入された製氷水は、前記水皿１３に吐出供給されると共に、この水皿１３に穿設した各噴水孔から、前記製氷小室内に対応的に噴射供給されるようになっている。なお、図２０に示す前記水皿１３は、筐体１０の前後方向に延在する枢支軸により左端部が片持式に枢支され、右端部側が上下方向に傾動するよう構成される。
【０００４】
前記アクチュエータＡＭは、メンテナンス性を考慮して前記取付枠１６の前側に配設され、筐体１０における製氷機構１５や水皿傾動機構１８の前側に着脱自在に配設されたフロントパネル１９を取外すことで、該アクチュエータＡＭを前側からメンテナンスし得るよう構成されている。また、アクチュエータＡＭは、モータボックス２０に収容したロータ等のモータ本体(図示せず)と、ギヤボックス２１に収容された減速機構(図示せず)とからなり、モータボックス２０とギヤボックス２１とを接続し、両ボックス２０,２１内でモータ本体と減速機構とが連結されている。
【先行技術文献】
【特許文献】
【０００５】
【特許文献１】特開２００８−３９３９２号公報
【発明の概要】
【発明が解決しようとする課題】
【０００６】
前記アクチュエータＡＭから導出するリード線は、モータボックス２０内への水の侵入防止のために、モータボックス２０の下側に穿設した孔から外部に引き出された後、前記取付枠１６の上側に引き回されるよう構成される。このような構成では、リード線の引き回しが適正に行なわれないと、該リード線がアクチュエータＡＭの下側に大きく垂れ下がることがある。この場合は、筐体１０における貯氷室１１に対応する位置に設けた氷取出口を開閉する開閉扉を開放し、氷取出口を介して氷塊の取出しを行なう際に、作業者の手指がリード線に引っ掛かり、該リード線を引っ張って破損させたり接触不良を招くおそれがあった。
【０００７】
また、前記アクチュエータＡＭでは、経時的な劣化あるいは水皿傾動時に発生する振動等に起因して、前記モータボックス２０とギヤボックス２１とのシール性が低下し、粘度が低下したオイルが両ボックス２０,２１の接続部から漏れるおそれがある。この場合、漏れたオイルは、貯氷室１１に滴下して不衛生となる問題が指摘される。
【０００８】
すなわち本発明は、従来の技術に係る自動製氷機に内在する前記課題に鑑み、これを好適に解決するべく提案されたものであって、リード線の破損等を防止し得ると共に、駆動手段から滴下するオイルによって不衛生となるのを防止し得る自動製氷機を提供することを目的とする。
【課題を解決するための手段】
【０００９】
前記課題を克服し、所期の目的を達成するため、請求項１の発明に係る自動製氷機は、
一方に開口する多数の製氷小室を有する製氷室および製氷室における前記製氷小室の開口側に対向して傾動可能に枢支した水皿を備える製氷機構と、保持部材の外側に配設されて前記水皿に連繋された作動機構を作動する駆動手段とからなり、前記駆動手段により前記作動機構を作動することで、前記水皿を前記製氷小室の閉成位置および開放位置の間で傾動させるようにした自動製氷機において、
前記駆動手段に、該駆動手段を下側から覆うカバー部品を配設すると共に、
前記保持部材の内側に連通する通路が前記カバー部品に形成され、前記駆動手段から導出するリード線を該通路に収容して前記保持部材の内側に引き込むよう構成したことを要旨とする。
【００１０】
請求項１に係る発明によれば、氷塊を取出す際に、誤って駆動手段に接続するリード線に手が触れたり、引っ張ったりするのを防止できる。また、カバー部品が駆動手段の内部から漏れたオイルを受けるので、貯氷室内にオイルが滴下して不衛生となるのを防止し得る。更に、カバー部品を駆動手段に直接配設することにより、駆動手段にカバー部品を事前に組付けが可能であり、組付け作業性が向上する。また、カバー部品に、リード線を保持部材の内側に案内する通路を設けたので、リード線を結束等することなく定位置に保持することができ、リード線に誤って手指が触れるのを確実に防止し得る。また、リード線は通路に沿って引き回すだけで定位置に保持し得るので、リード線の引き回し作業が容易となる。
【００１１】
請求項２に係る発明では、前記自動製氷機を構成する筐体に架設された前記保持部材は、上方に開放するトレー状に形成されると共に、該保持部材には内外を連通する凹部が設けられ、
前記カバー部品には、前記凹部および前記通路に連通する樋状の案内部が形成されることを要旨とする。
【００１２】
請求項３に係る発明では、前記保持部材の底部には、排水孔が設けられ、
前記カバー部品における前記案内部の開放端部に、前記排水孔の下方位置まで延出して該排水孔から排出される水を受ける受け部を設けたことを要旨とする。
請求項３に係る発明によれば、保持部材に溜った水をカバー部品を介してドレンパンに排出することができる。すなわち、駆動手段から漏れるオイルを受ける機能、駆動手段に接続するリード線の案内および保持を行なう機能を備えたカバー部品に、保持部材に溜った水の排出機能を付加したことで、保持部材に溜った水の排出を行なう専用の部品を設ける必要はなく、構成を簡略化し得ると共に製造コストを低廉に抑えることができる。
【００１３】
請求項４に係る発明では、前記製氷機構の下方には、前記水皿に一体的に形成された製氷水タンクから排出された製氷水を受け入れるドレンパンが配設され、
前記カバー部品は、上面開放した箱状に形成されると共に、前記ドレンパンの内側上方に臨む位置に、該カバー部品に受容した液体を排出する排出部を設けたことを要旨とする。
請求項４に係る発明によれば、カバー部品に受けたオイルをドレンパンに排出し得るので、カバー部品にオイルを排出するホース等を接続する必要はなく、カバー部品の構成を簡略化し得る。
【００１４】
請求項５に係る発明では、前記カバー部品の前記通路内に、該通路の延在方向に沿って延在する仕切片を設けて該通路を複数に仕切るようにしたことを要旨とする。
請求項５に係る発明によれば、リード線を引き回す通路を仕切片によって複数の通路に分けたので、複数のリード線を各通路に沿って分けて引き回すことができる。
【００１５】
請求項６に係る発明では、前記カバー部品および前記仕切片は、絶縁材料から形成したことを要旨とする。
請求項６に係る発明によれば、高電圧用のリード線と低電圧用のリード線とを絶縁状態で分けて引き回すことができ、リード線自体の絶縁構造を簡略化できる。
【発明の効果】
【００１６】
本発明に係る自動製氷機によれば、リード線の破損等を防止すると共に、不衛生となるのを防止し得る。
【図面の簡単な説明】
【００１７】
【図１】実施例１に係る自動製氷機を一部破断して示す概略斜視図である。
【図２】実施例１に係る自動製氷機を示す要部縦断側面図である。
【図３】実施例１に係るカバー部品をアクチュエータに配設した状態で示す概略斜視図である。
【図４】実施例１に係るカバー部品を示す概略斜視図である。
【図５】実施例１に係る自動製氷機に採用されるアイスガイドを示す概略斜視図である。
【図６】アイスガイドとドレンパンとの関係を示す説明図である。
【図７】実施例１に係る自動製氷機に採用される案内部材を示す概略斜視図である。
【図８】案内部材を取付枠に配設した状態で示す要部縦断正面図である。
【図９】実施例２に係るカバー部品をアクチュエータに配設した状態で示す概略斜視図である。
【図１０】実施例３に係るカバー部品をアクチュエータに配設した状態で示す概略斜視図である。
【図１１】実施例３に係るカバー部品を示す概略斜視図である。
【図１２】実施例３に係るカバー部品を示す概略平面図である。
【図１３】実施例４に係るカバー部品を示す概略斜視図である。
【図１４】実施例４に係るカバー部品を示す要部概略平面図である。
【図１５】実施例４に係るカバー部品と取付枠の排水孔との関係を示す説明図である。
【図１６】実施例５に係るカバー部品を示す概略平面図である。
【図１７】実施例６に係るカバー部品をアクチュエータに配設した状態で示す概略斜視図である。
【図１８】実施例６に係るカバー部品を示す概略斜視図である。
【図１９】アイスガイドの変更例を示す概略斜視図である。
【図２０】従来の技術に係る自動製氷機を一部破断して示す概略斜視図である。
【図２１】従来の技術に係る自動製氷機を示す要部縦断側面図である。
【発明を実施するための形態】
【００１８】
次に、本発明に係る自動製氷機につき、好適な実施例を挙げて、添付図面を参照して以下に説明する。なお、実施例の自動製氷機は、従来例で説明した自動製氷機と基本的な構成は同じであるので、説明の便宜上、図２０または図２１に示した自動製氷機の構成要素と同一の要素については、同一の符号を使用して詳細な説明は省略し、異なる部分のみ説明する。また製氷機構において、アクチュエータを配設した側を前側とし、水皿は筐体の前後方向に延在する枢支軸により前側から見て左端部が片持式に枢支され、右端部側が上下方向に傾動するようになっている。
【実施例１】
【００１９】
図１に示す如く、自動製氷機を構成する前記筐体１０は、前方および上方に開放する断熱構造の箱状に形成されている。筐体１０における左右の側壁１０ａ,１０ａ(図１では一方のみ図示)の上端間に、金属製の前記取付枠(保持部材)１６が架設され、この取付枠１６に、前記製氷機構１５および水皿傾動機構１８が支持されて、筐体１０内に画成される内部空間の上部に製氷機構１５および水皿傾動機構１８が臨むよう構成される。前記取付枠１６は、図１に示す如く、上方に開放する横長矩形のトレー状に形成されており、左右両端に延出する延出部１６ａ,１６ａ(図１では一方のみ図示)を側壁１０ａ,１０ａ上面に載置してネジ止めされるようになっている。なお、筐体１０に内部画成される内部空間について、上部側の内部空間を、前記製氷機構１５および水皿傾動機構１８が臨む機構収容室２２と指称すると共に、下部側の内部空間を、製氷機構１５で製造された氷塊を貯留する貯氷室２３と指称するものとする。
【００２０】
前記筐体１０の上部には、図２に示す如く、上面開口部を覆蓋し得る断熱構造の天板２４が着脱可能に取付けられる。また筐体１０の前部に、前記製氷機構１５の配設領域より下側において両側壁１０ａ,１０ａの間に支持枠２５が架設されると共に、該筐体１０の前面に、支持枠２５より上側の前面開口１０ｂを閉鎖するフロントパネル２６が着脱自在に配設されており、該フロントパネル２６は、製氷機構１５や水皿傾動機構１８の前側を覆うと共に製氷機構１５や水皿傾動機構１８の近傍へ前側から手が入るのを防止するべく機能する。更に、筐体１０の前面には、支持枠２５より下側の前面開口１０ｂを開閉する開閉扉２７が、下端部を支点として前方に傾動可能に配設されている。すなわち、開閉扉２７を前方へ傾動して前面開口１０ｂを開放することで、前記貯氷室２３からの氷塊の取出しを行ない得るよう構成される。なお、前面開口１０ｂにおける開閉扉２７で開閉される部分については、以後「氷取出口」と指称する場合もある。
【００２１】
前記製氷機構１５の下方には、前記製氷水タンク１４から排出された製氷水(排水)を受け入れて機外へ排出するドレンパン２８が配設されている。このドレンパン２８は、図１および図２に示す如く、筐体１０の内部空間の前後方向の全長に亘って延在する前後寸法に設定され、該ドレンパン２８の後端部が筐体１０の後壁内面に固定されると共に、ドレンパン２８の前端に延出形成した支持片２８ａが、前記支持枠２５に固定されている。またドレンパン２８の左右方向の幅寸法は、図１に示す如く、内部空間の左右方向の幅寸法より短かく設定されて、該ドレンパン２８の右端と筐体１０の左側の側壁１０ａとの間に氷放出口２９を画成している(図６参照)。すなわち、筐体１０の内部空間は、ドレンパン２８によって上側の機構収容室２２と下側の貯氷室２３とに仕切られると共に、機構収容室２２と貯氷室２３とは氷放出口２９を介して上下に連通するよう構成される。そして、前記製氷機構１５の除氷運転によって水皿１３が開放した際に、製氷室１２から離脱して水皿上面を滑落する氷塊は、氷放出口２９を介して貯氷室２３に放出されて貯留されるようになっている。
【００２２】
前記水皿１３の枢支側と反対の開放端部(右端部)に近接する取付枠１６の前面に、図１に示すように、下方に開放するコ字状に形成された取付部材３０が配設され、該取付部材３０の前面に、モータを駆動源とする前記アクチュエータＡＭが取付けられている。そして、アクチュエータＡＭを正転および逆転方向に駆動することで、カムやバネ等からなる作動機構(図示せず)を介して前記水皿１３が製氷室１２に対する閉成位置および開放位置との間を傾動するよう構成される。取付部材３０は、水平に延在する連結板３０ａの前端縁に、下側に向けて前取付板３０ｂが折曲形成されると共に、該連結板３０ａの後端縁に、下側に向けて後取付板３０ｃが折曲形成されており、後取付板３０ｃが取付枠１６の前面板１６ｂにネジ止めされる。そして、該取付部材３０の前取付板３０ｂに、アクチュエータＡＭが後述するようにネジ止めされる。なお、取付部材３０における前後の取付板３０ｂ,３０ｃ間に、作動機構の一部が収容されるようになっている。
【００２３】
駆動手段としてのアクチュエータＡＭは、図３に示すと共に前述した如く、モータボックス２０に収容したロータ等のモータ本体(図示せず)と、ギヤボックス２１に収容された減速機構(図示せず)とから構成され、モータボックス２０とギヤボックス２１とが前後に対向当接した状態で接続されている。また、ギヤボックス２１の後端(モータボックス２０の接続側とは反対側)には、上下左右の４箇所に、外方に延出するフランジ部３１が夫々形成されると共に、上側に位置する左右２箇所のフランジ部３１,３１にはネジ孔３１ａが夫々形成されている。そして、上側に位置する左右２箇所のフランジ部３１,３１に設けたネジ孔３１ａの夫々に、前記取付部材３０の前取付板３０ｂに対応して形成された通孔(図示せず)に後側から挿通したネジを螺挿することで、アクチュエータＡＭは取付部材３０の前面(外側)に配設固定される。なお、ギヤボックス２１における下側の左右２箇所のフランジ部３１,３１には、前後方向に貫通する通孔(図示せず)が夫々形成されている。
【００２４】
前記ギヤボックス２１の内部には、アクチュエータＡＭにおける適宜の回転部分における回転方向および回転角度を検出可能なホールＩＣ等の検出センサ(図示せず)が配設され、該検出センサの検出信号に基づいて、図示しない制御手段がアクチュエータＡＭを制御して、前記水皿１３を開閉動すると共に閉成位置と開放位置とに位置決め停止するよう構成される。そして、モータボックス２０の下側に、内外を連通する通孔(図示せず)が穿設され、該通孔を介してモータ本体に接続するモータ用リード線３２および前記検出センサに接続するセンサ用リード線３３とがボックス外に引き出されるよう構成される。これらリード線３２,３３は、図３に示す如く、モータボックス２０を下側から左側に巻くように引き回された後に、前記取付部材３０の右側から前記取付枠１６の内側に引き込まれるよう構成される。また取付枠１６の上側に引き出されたリード線３２,３３は、後述する案内部材４３を介して前記筐体１０の背面に案内されて該筐体１０に形成した配線通路１０ｃ(図２参照)内を引き回された後に制御手段に接続されるようになっている。なお、取付枠１６における底面板１６ｃの前端縁から立上がる前面板１６ｂには、取付部材３０の配設位置より右側に、リード線３２,３３を受容する凹部１６ｄが切欠形成され、リード線３２,３３を凹部１６ｄに受容した状態で取付枠１６の外側から内側に引き込むことで、該リード線３２,３３が取付枠１６の上端縁より上方に突出しないよう構成してある。
【００２５】
ここで、モータ用リード線３２は高電圧用のリード線であるのに対し、センサ用リード線３３は低電圧用のリード線であることから、電気的国際規格で求められている絶縁対策として、各リード線３２,３３に厚み１ｍｍ以上の絶縁性のチューブ３４,３４を外挿している。また、アクチュエータＡＭの外面の適宜位置にガイド部品３５が配設され、アクチュエータＡＭを下側から上側に向けて巻くように引き回されている両リード線３２,３３をガイド部品３５で支持することで、該リード線３２,３３がアクチュエータＡＭの外面から大きく離間するのを規制するようにしてある。なお、実施例１では、チューブ３４でリード線３２,３３を被覆した状態のものをリード線と指称するものとする。
【００２６】
前記アクチュエータＡＭに、該アクチュエータＡＭを下側から覆う合成樹脂製のカバー部品３６が着脱自在に配設される。図１〜図４に示す実施例１のカバー部品(以後、第１カバー部品と指称する)３６は、矩形状の底板３６ａの４辺に、前板３６ｂ、後板３６ｃ、左側板３６ｄおよび右側板３６ｅを夫々上方に立上がるように折曲形成して、上方に開放する箱状に形成されている。後板３６ｃには、左右方向に離間して一対のネジ孔３７,３７が前後方向に貫通するように形成されており、両ネジ孔３７,３７は、前記ギヤボックス２１における下側の左右２箇所のフランジ部３１,３１に形成した通孔の夫々に対応するよう設定される。そして、第１カバー部品３６は、ギヤボックス２１における下側のフランジ部３１,３１に対して後板３６ｃを後側から当接したもとで、各フランジ部３１の通孔に前側から挿通したネジ３８(図３に一方のみ図示)を後板３６ｃのネジ孔３７に螺挿することで、当該第１カバー部品３６がギヤボックス２１にネジ止め固定されるようになっている。
【００２７】
前記第１カバー部品３６は、後板３６ｃを介してギヤボックス２１に固定した状態で、図３に示す如く、前板３６ｂおよび左右の側板３６ｄ,３６ｅがアクチュエータＡＭの下側部分を囲繞するよう位置決めされて、前記ギヤボックス２１とモータボックス２０との連結部から漏れたオイルを該第１カバー部品３６に受容し得るよう構成される。また、アクチュエータＡＭの下側から左側上方に向けて引き回されている前記リード線３２,３３の下部側もカバー部品３６で下側から覆われ、リード線３２,３３に対して下方から直接アクセスし得ないよう構成されている。なお、前板３６ｂにおける底板３６ａからの上方への突出寸法は、後板３６ｃや両側板３６ｄ,３６ｅの突出寸法より小さく設定され、該前板３６ｂの上端が、モータボックス２０の下端と略同一高さ位置に位置するのに対し、両側板３６ｄ,３６ｅの上端はモータボックス２０の下端より所定高さだけ上方に位置するよう設定される。また前板３６ｂの上端位置は、第１カバー部品３６をギヤボックス２１に固定するネジ３８の位置(後板３６ｃのネジ孔３７の位置)より下方に位置するよう設定されて、ネジ３８に対して前側からの工具のアクセスを可能として、着脱作業を容易に行ない得るよう構成される。更に、後板３６ｃには、ギヤボックス２１の後方に延出する減速機構と作動機構との連結部(図示せず)との干渉を防止する逃げ部３６ｆが凹設されている。
【００２８】
前記筐体１０の内部空間には、前記氷放出口２９に対応してアイスガイド３９が配設されている。このアイスガイド３９は、図２および図５に示す如く、前記支持枠２５の上面に載置した状態で配設される逆Ｌ字状の取付部４０と、該取付部４０の上端部に設けられ、左右方向に延在する排水路を画成する樋部４１と、該樋部４１における貯氷室側の下端に連設されて貯氷室奥側に向けて延出する傾斜案内部４２とから基本的に構成される。取付部４０の幅寸法は、前記氷放出口２９の幅寸法と略同一に設定されると共に、樋部４１の幅寸法は氷放出口２９の幅寸法より長く設定され、樋部４１における取付部４０の左端から左方に延出する左端部が前記ドレンパン２８の上部内側に臨むようになっている(図６参照)。また樋部４１の内底面は、ドレンパン２８に向けて下方傾斜するよう形成されている。すなわち、樋部４１に受容されて左側に流れる水滴等は、該樋部４１の左端からドレンパン２８に向けて速やかに流下させて排出し得るよう構成される。
【００２９】
前記アイスガイド３９の樋部４１は、図２に示す如く、前記アクチュエータＡＭに配設された第１カバー部品３６の下方に臨んで、該カバー部品３６の外面等に生じた露等を該樋部４１で受容し得るよう構成される。なお、樋部４１における内部の前後寸法は、第１カバー部品３６の前後外面間の寸法より長く設定されており、第１カバー部品３６の前板３６ｂ、後板３６ｃ、底板３６ａおよび左右の側板３６ｄ,３６ｅの外表面に生じた露が滴下した際に、該露を樋部４１に確実に受容し得るよう構成してある。
【００３０】
前記アイスガイド３９の傾斜案内部４２は、取付部４０から貯氷室奥側に向けて所要の傾斜角度で下方傾斜する第１案内部４２ａと、該第１案内部４２ａの傾斜下端に連設されて第１案内部４２ａの傾斜角度より小さい角度で下方傾斜する第２案内部４２ｂとで構成される。また傾斜案内部４２の前後寸法は、図２に示す如く、貯氷室２３(氷放出口２９)より短かく設定され、前記製氷機構１５において前側の部分から氷放出口２９に向けて放出される氷塊は、アイスガイド３９の傾斜案内部４２で案内されて貯氷室２３の奥側に放出されるようになっている。前記第２案内部４２ｂにおける左右の端縁には、上方に向けて所定長さで延出する規制部４２ｃが夫々形成されている。左側の規制部４２ｃは、製氷機構１５から放出されて傾斜案内部４２上に落下した氷塊が跳ね返ってドレンパン２８に入ってしまうのを防止するべく機能する。すなわち、実施例１では第２案内部４２ｂの左右両端に規制部４２ｃを夫々形成しているが、左端(ドレンパン２８側)にのみ規制部４２ｃを形成すればよい。なお、貯氷室２３には、アイスガイド３９によって氷塊が案内される奥側に貯氷検知手段(図示せず)が配設され、該貯氷検知手段が氷塊を検知したことを条件に製氷機構１５での氷塊の製造が停止するよう構成されている。
【００３１】
前記アイスガイド３９では、図６に示す如く、前記樋部４１の右端が筐体１０の右側の側壁内面に当接し、樋部４１に受容した水滴等が右端から貯氷室２３の底側に滴下しないよう構成される。なお、樋部４１の右端を壁で閉塞することで、樋部４１に受容した水滴等が右端から貯氷室２３の底側に滴下しないようにする構成を採用し得る。
【００３２】
前記取付枠１６の後部に、筐体背面に設けた配線経路１０ｃに向けて引き回される前記リード線３２,３３を支持する絶縁材である合成樹脂製の案内部材４３が着脱自在に配設されている。この案内部材４３は、図７に示す如く、上方および前後方向に開放する樋状に形成された本体部４４を備え、該本体部４４を構成する左右側壁板４４ａ,４４ａの上端縁には、外方に延出する張出し部４４ｂが夫々形成されている。また本体部４４の内底面には、左右方向の中央に、上方に所定長さで立上がる仕切壁部４４ｃが、本体部４４の前後方向に全長に亘って延在するよう形成され、該仕切壁部４４ｃを挟む左右両側にリード線用通路を画成している。更に、本体部４４の下面前部には、左右両端部に下方に延出する一対の係合爪４４ｄ,４４ｄが形成されている。
【００３３】
前記取付枠１６の底面板１６ｃにおける後端縁から立上がる後面板１６ｅには、図８に示す如く、下側に向けて凹設された切欠部１６ｆが形成されると共に、該切欠部１６ｆの前側に位置する底面板１６ｃに、左右方向に離間して上下方向に貫通する一対の係合孔１６ｇ,１６ｇが形成されている。そして、前記案内部材４３の本体部４４を後面板１６ｅの切欠部１６ｆに上側から嵌合すると共に、一対の係合孔４４ｄ,４４ｄを一対の係合孔１６ｇ,１６ｇに上側から挿通して底面板１６ｃに係合することで、案内部材４３が取付枠１６に取付けられる。この案内部材４３には、前記アクチュエータＡＭから導出して取付枠１６の上側に引き出された前記リード線３２,３３が、各リード線用通路に１本ずつ収容状態で後側に引き回された後に、筐体１０の背面側に形成された前記配線通路１０ｃに引き込まれるようになっている。
【００３４】
なお、前記仕切壁部４４ｃの厚み寸法は、１ｍｍ以上に設定され、該仕切壁部４４ｃを隔てた両側のリード線用通路を引き回されるモータ用リード線３２と、センサ用リード線３３との絶縁距離を、電気的国際規格で要求されている距離以上に確保し得るよう構成される。また、取付枠１６に案内部材４３を取付けた状態で、該案内部材４３の後端は筐体１０における後壁１０ｄの内面に略当接する位置に臨むよう構成されて、下方からリード線用通路に直接アクセスできないようになっている。なお、前記取付枠１６の後面板１６ｅに、前記切欠部１６ｆの左右両側に規制凹部１６ｈ,１６ｈが形成されており、該取付枠１６に案内部材４３を取付けた際に、該案内部材４３の前記張出し部４４ｂ,４４ｂが規制凹部１６ｈ,１６ｈに位置するよう構成される(図８参照)。
【００３５】
〔実施例１の作用〕
次に、実施例１に係る自動製氷機の作用について説明する。製氷運転に際して、前記製氷室１２は水皿１３で閉成された状態で、前記蒸発器１７に冷媒が供給されて該製氷室１２が冷却され、該水皿１３の噴水孔から噴射供給された製氷水が製氷小室内で層状に氷結してゆく。前記製氷小室に氷塊が生成されると除氷運転に切り替わり、前記アクチュエータＡＭが回転される。このアクチュエータＡＭの回転により、作動機構を介して水皿１３が製氷室１２から離間するように傾動し、該水皿１３が開放位置に至ったことを前記検出センサが検出することでアクチュエータＡＭの回転が停止する。
【００３６】
冷凍系の弁を切り替えることで前記蒸発器１７に供給されるホットガスの作用で製氷室１２と氷塊群との氷結状態が解除され、製氷室１２から離脱した氷塊は開放状態の水皿１３の上面を氷放出口２９に向けて滑落する。水皿１３における前部側を滑落する氷塊は、前記アイスガイド３９における傾斜案内部４２上に落下し、該案内部４２によって貯氷室奥側に案内され、氷放出口２９を介して貯氷室２３に放出貯留される。また水皿１３における後部側を滑落する氷塊は、氷放出口２９を介して貯氷室２３に直接放出貯留される。アイスガイド３９の第２案内部４２ｂには、前記ドレンパン２８側の側縁に規制部４２ｃが上方に向けて所定高さで立上がるように設けられているから、第２案内部４２ｂ上に落下した氷塊が跳ねてドレンパン２８に入ってしまうの防止することができ、氷塊が無駄になるのを抑制し得る。また、前記水皿１３上を滑落する氷塊は、筐体１０における右側の側壁１０ａの内面に当った後に第２案内部４２ｂ側に跳ね返ることもあるが、このように跳ね返った氷塊がドレンパン２８に入ってしまうのも規制部４２ｃで防ぐことができる。更に、アイスガイド３９によって貯氷室２３の前側に氷塊が多く溜ることで、該氷塊の重さによって前記開閉扉２７が押されて開いてしまうのを防止することができる。
【００３７】
前記製氷機構１５では、図示しないサーミスタが設定温度を検知すると、氷塊群の放出が完了したと判断され、前記アクチュエータＡＭが逆回転して、開放位置にあった水皿１３が製氷室１２を閉成する方向(上方)に傾動する。そして、水皿１３が閉成位置に至ったことを前記検出センサが検出することでアクチュエータＡＭの回転が停止し、製氷運転に移行する。
【００３８】
前記開閉扉２７を前方へ傾動して氷取出口１０ｂを開放することで、貯氷室２３から氷塊を取出すことができる。このとき、機構収容室２２と貯氷室２３とは氷放出口２９を介して連通しているので、該氷放出口２９を介して貯氷室２３から製氷機構１５や水皿傾動機構１８に下側からアクセスすることは可能である。しかしながら、実施例１の水皿傾動機構１８のアクチュエータＡＭは、前記第１カバー部品３６によって下側から覆われているので、該アクチュエータＡＭから導出するリード線３２,３３に手指が接触するのを防止することができ、リード線３２,３３が引っ張られて破損したり接触不良を来たすのを防ぐことができる。
【００３９】
また、経年劣化等によってアクチュエータＡＭにおけるギヤボックス２１とモータボックス２０との連結部からオイルが漏れたとしても、該オイルを前記第１カバー部品３６で受けて貯氷室２３に滴下するのを防ぐことができ、衛生状態を維持し得る。そして、第１カバー部品３６は、前記リード線３２,３３へのアクセス防止と、オイルの貯氷室２３への滴下防止との２つの機能を有しているので、各機能を有する部材を別々に配設する場合に比べて、部品点数や組付け工数を低減し得ると共に製造コストを低廉に抑えることができる。また前記第１カバー部品３６は、アクチュエータＡＭに直接取付けるよう構成したので、該アクチュエータＡＭを取付枠１６に組付ける前にアクチュエータＡＭに第１カバー部品３６を取付けてユニット化しておくことができ、狭い空間でアクチュエータＡＭと第１カバー部品３６とを別々に組付ける場合に比べて組付けが容易である。更に、アクチュエータＡＭが共通に使用可能な自動製氷機であれば、第１カバー部品３６も共通に使用することができ、汎用性が高い。
【００４０】
ここで、実施例１の自動製氷機では、前記第１カバー部品３６の下方に、前記アイスガイド３９における樋部４１が臨んでおり、仮に第１カバー部品３６からオイルが溢れたとしても、該オイルを樋部４１で受容してドレンパン２８に排出することができ、貯氷室２３にオイルが滴下するのを確実に防止し得る。またアイスガイド３９は、前述したように氷塊を貯氷室奥側へ案内する機能、氷塊がドレンパン２８に入ってしまうのを防止する機能およびオイルの貯氷室２３への滴下防止の機能とを有しているので、各機能を有する部材を別々に配設する場合に比べて、部品点数や組付け工数を低減し得ると共に製造コストを低廉に抑えることができる。
【００４１】
前記アクチュエータＡＭから導出するリード線３２,３３は、前記取付部材３０の右側から前記取付枠１６の上側に引き出されると共に、該取付枠１６に取付けた前記案内部材４３のリード線用通路を引き回された後に、前記筐体１０の背面側に形成した配線通路１０ｃに引き込まれている。そして、案内部材４３の後端は、筐体１０の後壁内面に近接しているので、貯氷室２３側(下側)から取付枠１６と筐体１０の後壁内面との隙間を介してリード線３２,３３に直接アクセスするのを案内部材４３で防ぐことができ、安全性を確保し得る。また、前記仕切壁部４４ｃによって案内部材４３内に画成される左右のリード線用通路に収容されるモータ用リード線３２とセンサ用リード線３３とは、仕切壁部４４ｃによって１ｍｍ以上離間させることができるから、両リード線３２,３３が近接してノイズが発生するのを抑制し得る。更に、高電圧のモータ用リード線３２と低圧電のセンサ用リード線３３とを仕切壁部４４ｃで離間して引き回すことができるので、少なくとも当該案内部材４３に収容状態で引き回される部位において２重絶縁等を施す必要はなく、リード線３２,３３の絶縁構造を簡略化することができる。
【００４２】
ここで、前記筐体１０の後壁内面と取付枠１６との離間距離は、機種によって異なる場合があるが、取付枠１６の底面板１６ｃに形成する係合孔１６ｇ,１６ｇの位置について、案内部材４３の後端が筐体１０の後壁内面に近接(接触)する位置となるように設定するだけで、共通の案内部材４３を使用することが可能となり、汎用性を高めることができる。
【実施例２】
【００４３】
図９は、実施例２に係るカバー部品(以後、第２カバー部品という)４５を配設したアクチュエータＡＭを示すものであって、第２カバー部品４５の基本的な構成は、実施例１の第１カバー部品３６と同じであるので、異なる部分についてのみ説明すると共に、同一部位には同じ符号を付すものとする。
【００４４】
すなわち、第２カバー部品４５は、第１カバー部品３６に対して左側板３６ｄを無くして上方および左方に開放する箱状に形成されたものであって、該第２カバー部品４５に受容したオイルを左方に開放する排出口(底板３６ａ,前板３６ｂおよび後板３６ｃで画成される排出部)４６から排出し得るよう構成される。また第２カバー部品４５は、底板３６ａ、前板３６ｂおよび後板３６ｃの左端が、アクチュエータＡＭの左端より所定長さだけ左方(ドレンパン側)に向けて延在するよう構成されて、前記排出口４６が前記ドレンパン２８の内側上方に臨むようにしてある。すなわち、アクチュエータＡＭの左端より左方に延出する底板３６ａ、前板３６ｂおよび後板３６ｃの部分により下側からのリード線３２,３３に対するアクセス防止を図ると共に、受容したオイルを排出口４６からドレンパン２８に排出し得るようになっている。従って、第２カバー部品４５では、内部に受容したオイルが溢れることなくドレンパン２８に排出し得るので、実施例１の自動製氷機のように第１カバー部品３６の下方に樋部４１を備えたアイスガイド３９を設けることなくオイルが貯氷室２３に滴下するのを確実に防止し得る。すなわち、アイスガイド３９として、樋部４１のない簡単な構成のものを採用することができ、製造コストを低廉に抑えることができる。
【００４５】
また、第２カバー部品４５は、前記アクチュエータＡＭに配設した状態で、底板３６ａが右端から左側に向けて下方傾斜(ドレンパン２８に向けて下方傾斜)するよう構成されており、内部に受容したオイルを確実にドレンパン２８に排出し得るようになっている。なお、第２カバー部品４５の底板３６ａにおける左端縁には、左方に向かって下方傾斜する回り込み防止部４７が形成されており、底板３６ａを排出口４６に向けて流下するオイルが底板３６ａの左端縁から下面側に回り込むのを該回り込み防止部４７で防止するよう構成される。
【実施例３】
【００４６】
図１０〜図１２は、実施例３に係るカバー部品(以後、第３カバー部品という)４８を示すものであって、第３カバー部品４８の基本的な構成は、前記第２カバー部品４５と同じであるので、異なる部分についてのみ説明すると共に、同一部位には同じ符号を付すものとする。
【００４７】
すなわち、第３カバー部品４８は、上方および左方に開放する箱状に形成されたものであって、該第３カバー部品４８に受容したオイルを排出口(底板３６ａ,前板３６ｂおよび後板３６ｃで画成される排出部)４６からドレンパン２８に排出し得るよう構成される。また第３カバー部品４８は、前板３６ｂにおけるモータボックス２０より右端に位置する部分、右側板３６ｅおよび後板３６ｃにおける右端から所要幅寸法の部分に、他の部分より上方に延在する前延出板部４９、右側延出板部５０および後延出板部５１が形成され、これら延出板部４９,５０,５１によってアクチュエータＡＭの右方を囲繞するよう構成される。更に、後延出板部５１の上端に、前記取付部材３０の右側において上方および前後方向に開放すると共に後板３６ｃより後方に延出する樋状のリード線案内部５２が形成されている。このリード線案内部５２の後開放端は、取付部材３０を前記取枠枠１６に取付けた状態において、該取付枠１６における前面板１６ｂの前面に当接するよう構成される。またリード線案内部５２は、後開放端が前面板１６ｂの前面に当接した状態で、該前面板１６ｂに形成した凹部１６ｄを介して取付枠１６の内側に連通するようになっている。すなわち、第３カバー部品４８には、アクチュエータＡＭの下側から導出しているリード線３２,３３を収容状態で案内するリード線案内経路(通路)が、底板３６ａ,前板３６ｂ,後板３６ｃ,前延出板部４９，右側延出板部５０,後延出板部５１およびリード線案内部５２によって画成され、該リード線案内経路に沿ってリード線３２,３３が前記取付枠１６の内側に案内されるよう構成してある。
【００４８】
実施例３のアクチュエータＡＭでは、モータボックス２０の下側から外部に引き出されたリード線３２,３３は、図１０に示すように、アクチュエータＡＭの右側を引き回された後に、前記リード線案内部５２に沿って後側に引き回されるよう構成される。すなわち、第３カバー部品４８では、アクチュエータＡＭの右方を囲繞する前延出板部４９、右側延出板部５０および後延出板部５１を形成すると共に、リード線案内部５２を形成したので、モータボックス２０から引き出されて取付枠１６の内側に至るまでの引き回し経路においてリード線３２,３３を前延出板部４９、右側延出板部５０、後延出板部５１およびリード線案内部５２で画成されるリード線案内経路に収容した状態で引き回すことができ、貯氷室側からのリード線３２,３３に対するアクセスを確実に防止し得る。また、モータボックス２０から取付枠１６までの引き回し経路においてリード線３２,３３を延出板部４９,５０,５１およびリード線案内部５２で画成したリード線案内経路に収容することで、該リード線３２,３３は第３カバー部品４８の外部に延出しないので、結束具等を用いることなくリード線３２,３３を定位置に保持することができる。従って、リード線３２,３３の引き回し作業が容易となり、作業性が向上する。
【実施例４】
【００４９】
図１３〜図１５は、実施例４に係るカバー部品(以後、第４カバー部品という)５３を示すものであって、第４カバー部品５３の基本的な構成は、前記第３カバー部品４８と同じであるので、異なる部分についてのみ説明すると共に、同一部位には同じ符号を付すものとする。
【００５０】
すなわち、第４カバー部品５３には、前記リード線案内部５２の後開放端に、図１５に示す如く、前記取付枠１６の下面側に所定長さで延出する水受け部(受け部)５４が形成され、該水受け部５４は第４カバー部品５３内に連通している。また取付枠１６の底面板１６ｃには、前記水受け部５４の上方位置に排水孔５５が穿設されている。すなわち、取付枠１６の内部に溜った露等を、排水孔５５から水受け部５４で受け、該水受け部５４から第４カバー部品５３内に流れた露等を、前記排出口４６からドレンパン２８に排出し得るようになっている。このように第４カバー部品５３に、取付枠１６内に溜った露等をドレンパン２８に排出する機能を備えることで、取付枠１６内に溜った露等を機外に排出するための部材等を別途設ける必要はなくなり、部品点数や組付け工数を低減し得ると共に製造コストを低廉に抑えることができる。
【００５１】
なお、前記後延出板部５１の内面には、図１３および図１４に示す如く、前板側に向けて所定長さ延出する仕切片部５６が上下方向に延在するよう形成される。この仕切片部５６は、取付部材３０に配設されたアクチュエータＡＭに第４カバー部品５３を取り付けた状態で、取付部材３０の右側に延在して、該仕切片部５６と右側延出板部５０との間を引き回されるリード線３２,３３が取付部材３０に接触するのを防止するよう機能する。
【実施例５】
【００５２】
図１６は、実施例５に係るカバー部品(以後、第５カバー部品という)５７を示すものであって、第５カバー部品５７の基本的な構成は、前記第４カバー部品５３と同じであるので、異なる部分についてのみ説明すると共に、同一部位には同じ符号を付すものとする。
【００５３】
第５カバー部品５７では、前記底板３６ａ、後延出板部５１の内面およびリード線案内部５２の底面に、リード線３２,３３を案内するリード線案内経路(通路)を２つに分ける仕切片５８が形成されている。そして、仕切片５８で仕切られた一方のリード線案内径路５９ａにモータ用リード線３２が収容状態で引き回されると共に、他方のリード線案内径路５９ｂにセンサ用リード線３３が収容状態で引き回される。また、底板３６ａに形成される仕切片５８の左端は、前記モータボックス２０におけるリード線３２,３３の外部への導出位置より左側(リード線案内部５２とは反対側)に位置するよう設定され、モータボックス２０から導出されたリード線３２,３３がリード線案内部５２から取付枠１６に引き込まれるまでの第５カバー部品５７内の引き回し経路の全長において、両リード線３２,３３を仕切片５８によって隔てた状態で引き回すことができるようになっている。
【００５４】
第５カバー部品５７(仕切片５８も含む)は、全体が絶縁材料である合成樹脂材料から形成されると共に、仕切片５８の厚み寸法は、１ｍｍ以上に設定されており、該仕切片５８を隔ててリード線案内経路５９ａ,５９ｂを引き回されるモータ用リード線３２と、センサ用リード線３３との絶縁距離を、電気的国際規格で要求されている距離以上に確保し得るよう構成される。すなわち、高電圧のモータ用リード線３２と低圧電のセンサ用リード線３３とを仕切片５８で離間して配線することができるので、モータボックス２０から取付枠１６までの引き回し経路においてリード線３２,３３に２重絶縁等を施す必要はなく、リード線３２,３３の絶縁構造を簡略化することができる。このように、第５カバー部品５７を用いることで、リード線３２,３３として、前記チューブ３４で被覆する構成を不要としてコストを低廉に抑えることができる。また、モータ用リード線３２とセンサ用リード線３３とを離間することで、両リード線３２,３３が近接することでノイズが発生するのを抑制し得る。なお、底板３６ａに設けられる仕切片５８の上端位置は、第５カバー部品５７とギヤボックス２１とを固定するネジ３８より下方に位置するよう設定されて、該仕切片５８によってネジ３８に対する工具の前側からのアクセスを阻害しないよう構成されている。
【実施例６】
【００５５】
図１７および図１８は、実施例６に係るカバー部品(以後、第６カバー部品という)６０を示すものであって、第６カバー部品６０の基本的な構成は、前記第５カバー部品５７と同じであるので、異なる部分についてのみ説明すると共に、同一部位には同じ符号を付すものとする。
【００５６】
第６カバー部品６０では、図１８に示す如く、前記アクチュエータＡＭを下側から覆う部分では、底板３６ａ,前板３６ｂおよび後板３６ｃの左端縁に左側板３６ｄを連設することで上方に開放する箱状に形成される。そして、底板３６ａの左端部に、下方に開口する排出口(排出部)６１を形成している。この排出口６１は、前記ドレンパン２８の内部上側で開口し、第６カバー部品６０に受容したオイルを、該排出口６１からドレンパン２８に排出し得るようになっている。すなわち、第６カバー部品６０では、該部品６０の左側面を全面的に開放していないので、左側面側からの手指の第６カバー部品６０内への侵入を防止することができ、リード線３２,３３に対するアクセスをより抑制し得る。なお、排出口６１の開口寸法を、手指を侵入し得ない大きさに設定することで、より確実にリード線３２,３３に対するアクセスを抑制し得る。
【００５７】
図１９は、前記アイスガイド３９の変更例を示すものであって、基本的な構成は図５に示すものと同じであるので、異なる部分についてのみ説明する。すなわち、変更例のアイスガイド６２における第２案内部４２ｂの上面に、前後方向に延在するリブ６３が、左右方向に離間して複数の並設されている。これらのリブ６３は、前記製氷機構１５から放出された氷塊が第２案内部４２ｂ上を滑落し易くするべく機能する。なお、複数のリブ６３を設けることで、第２案内部４２ｂの強度が向上し、耐久性を向上し得る効果が得られる。また、変更例のアイスガイド６２においても、規制部４２ｃを左端(ドレンパン２８側)にのみ設ける構成や、樋部４１の右端を壁で閉塞する構成等、前述したアイスガイド３９で採用し得る変更例の構成を採用可能である。
【００５８】
(変更例)
本発明は実施例の構成に限定されず、例えば以下のようにも変更可能である。
(1) 実施例では、水皿の左端部を枢支した右端部を傾動するよう構成したが、右端部を枢支した水皿の左端部を傾動する構成を採用し得る。
(2) 実施例１の第１カバー部品に、実施例３〜実施例５のカバー部品に採用した構成を付加することができる。
(3) 実施例では、下方に開放した製氷小室を備えた製氷室に対して下方から水皿が接離する構成であるが、クローズセルタイプの製氷機構であれば、横方向に開放した製氷小室を備えた製氷室に対して横方向から水皿が接離する縦型のものであってもよい。
上記した変更例に限らず、実施形態に記載した構成については、本発明の主旨を逸脱しない範囲でその他の各種構成を採用し得る。
【符号の説明】
【００５９】
１０ 筐体，１２ 製氷室，１３ 水皿，１４ 製氷水タンク
１５ 製氷機構，１６ 取付枠(保持部材)，１６ｄ 凹部
２８ ドレンパン，３２ モータ用リード線(リード線)
３３ センサ用リード線(リード線)，３６ 第１カバー部品(カバー部品)
４５ 第２カバー部品(カバー部品)，４６ 排出口(排出部)
４８ 第３カバー部品(カバー部品)，５２ リード線案内部(案内部)
５３ 第４カバー部品(カバー部品)，５４ 水受け部(受け部)，５５ 排水孔
５７ 第５カバー部品(カバー部品)，５８ 仕切片，６０ 第６カバー部品(カバー部品) ６１ 排出口(排出部)，ＡＭ アクチュエータ(駆動手段)
【図１】
0005886577.tif 000002
【図２】
0005886577.tif 000003
【図３】
0005886577.tif 000004
【図４】
0005886577.tif 000005
【図５】
0005886577.tif 000006
【図６】
0005886577.tif 000007
【図７】
0005886577.tif 000008
【図８】
0005886577.tif 000009
【図９】
0005886577.tif 000010
【図１０】
0005886577.tif 000011
【図１１】
0005886577.tif 000012
【図１２】
0005886577.tif 000013
【図１３】
0005886577.tif 000014
【図１４】
0005886577.tif 000015
【図１５】
0005886577.tif 000016
【図１６】
0005886577.tif 000017
【図１７】
0005886577.tif 000018
【図１８】
0005886577.tif 000019
【図１９】
0005886577.tif 000020
【図２０】
0005886577.tif 000021
【図２１】
0005886577.tif 000022